【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
可動ミューオン検出センサを有するミューオントモグラフィ検出のためのシステムにおいて、
１つ以上のミューオン検出センサの第１のアレイを含む第１のハウジング構造であって、標的物体を収容する容積を有する検出領域に隣接する第１の側に沿って配置され、前記第１のアレイの１つ以上のミューオン検出センサは、前記第１のアレイを通過して前記検出領域に入るミューオンの位置及び方向を測定する第１のハウジング構造と、
１つ以上のミューオン検出センサの第２のアレイを含む第２のハウジング構造であって、前記検出領域に隣接して、前記第１の側の反対側である第２の側に沿って、前記第１のハウジング構造に対して一定の高さに配置され、前記第２のアレイの１つ以上のミューオン検出センサは、前記検出領域を出て前記第２のアレイを通過するミューオンの位置及び方向を測定する第２のハウジング構造と、
前記第１のハウジング構造を一定の高さに位置決めする１つ以上の支持構造と、
前記１つ以上のミューオン検出センサの第１及び第２のアレイに係合され、前記１つ以上のミューオン検出センサの第１及び第２のアレイを、互いの相対的な位置関係を維持しながら、異なる位置で駆動する駆動機構と、
前記１つ以上のミューオン検出センサの第１及び第２のアレイから、測定された位置及び方向のデータを受信し、前記検出領域内の前記標的物体の物質内のミューオンの散乱による前記ミューオンの散乱挙動を分析し、トモグラフィプロファイル又は前記検出領域内の散乱中心の空間分布を取得する処理ユニットと、
を備えるシステム。
【請求項２】
前記標的物体は、自動車、列車、航空機及び船舶の１つを含み、又は自動車、列車、航空機又は船舶によって輸送できるコンテナを含む請求項１記載のシステム。
【請求項３】
前記検出領域内に構成され、前記標的物体を前記検出領域内で特定の向き又は位置に揃える１つ以上の案内構造を更に備える請求項１記載のシステム。
【請求項４】
前記システムは、航空機格納庫内に実現される請求項１記載のシステム。
【請求項５】
前記第１のハウジング構造は、前記航空機格納庫の天井又は屋根の上に配設される請求項４記載のシステム。
【請求項６】
前記第２のハウジング構造は、前記航空機格納庫の床下に配設される請求項４記載のシステム。
【請求項７】
前記第１のハウジング構造及び第２のハウジング構造は、前記航空機格納庫の壁内に配設される請求項４記載のシステム。
【請求項８】
前記システムは、倉庫内に実現される請求項１記載のシステム。
【請求項９】
前記第１のハウジング構造は、前記倉庫の天井又は屋根の上に配設される請求項８記載のシステム。
【請求項１０】
前記第２のハウジング構造は、前記倉庫の床下に配設される請求項８記載のシステム。
【請求項１１】
前記第１のハウジング構造及び第２のハウジング構造は、前記倉庫の壁内に配設される請求項８記載のシステム。
【請求項１２】
前記第１のアレイ及び第２のアレイのミューオン検出センサは、それぞれ第１のハウジング構造内及び第２のハウジング構造内に配置され、前記倉庫に保管されるコンテナを通るミューオンの位置及び方向を検出する請求項８記載のシステム。
【請求項１３】
前記駆動機構は、それぞれ前記第１のハウジング構造及び第２のハウジング構造内の前記１つ以上のミューオン検出センサの第１のアレイ及び第２のアレイを動かす第１の輸送デバイス及び第２の輸送デバイスを含む請求項８記載のシステム。
【請求項１４】
前記処理ユニットは、前記トモグラフィプロファイル又は空間分布に基づいて画像を生成する請求項１記載のシステム。
【請求項１５】
前記処理ユニットは、前記第１のアレイ及び第２のアレイの１つ以上のミューオン検出センサと有線又は無線通信を行う請求項１記載のシステム。
【請求項１６】
前記処理ユニットは、前記システムの他の構成要素から遠隔の位置にある請求項１記載のシステム。
【請求項１７】
前記システムは、建物又は構造的組立体に統合され、外部の視野から隠されている請求項１記載のシステム。
【請求項１８】
組込型ミューオントモグラフィ検査能力を有する輸送機器検査ステーションにおいて、  輸送機器を少なくとも部分的に囲むように構成され、前記輸送機器を出し入れでき、前記輸送機器を収容する検出領域を含むハウジング構造と、
前記検出領域に隣接する前記ハウジング構造の第１の側に沿って配置された１つ以上のミューオン検出センサの第１のアレイを含む第１の検出ユニットであって、前記第１のアレイを通過して前記検出領域に入るミューオンの位置及び方向を測定する１つ以上のミューオン検出センサの第１のアレイを含む第１の検出ユニットと、
前記検出領域に隣接する前記第１の側の反対側である前記ハウジング構造の第２の側に沿って、前記第１の検出ユニットから一定の距離に配置された１つ以上のミューオン検出センサの第２のアレイを含む第２の検出ユニットであって、前記検出領域を出て前記第２のアレイを通過するミューオンの位置及び方向を測定する１つ以上のミューオン検出センサの第２のアレイを含む第２の検出ユニットと、
前記第１及び第２の検出ユニットの間の前記検出領域に配置されたプラットホームであって、検査される輸送機器を受け入れ、支持する表面を含むように構成され、前記検査される輸送機器を前記プラットホーム上の望ましい位置に案内するトラック又は整列マークを含むプラットホームと、
前記１つ以上のミューオン検出センサの第１及び第２のアレイから、測定された位置及び方向のデータを受信し、前記検出領域内の前記輸送機器内の物質内のミューオンの散乱による前記ミューオンの散乱挙動を分析し、トモグラフィプロファイル又は前記検出領域内の散乱中心の空間分布を取得する処理ユニットと、
を備えるステーション。
【請求項１９】
前記ハウジング構造内に構成され、前記輸送機器を前記検出領域内の特定の向き又は位置に揃える１つ以上の案内構造を更に備える請求項１８記載のステーション。
【請求項２０】
前記ハウジング構造は、複数のプレートを含み、前記輸送機器は、前記検出領域内にあるとき、前記複数のプレート上に載置され、前記第２のアレイは、前記複数のプレートの下に配置される請求項１８記載のステーション。
【請求項２１】
前記複数のプレートは、地上に配設されている請求項２０記載のステーション。
【請求項２２】
前記複数のプレートは、地下に配設されている請求項２０記載のステーション。
【請求項２３】
前記複数のプレートは、地面の高さに配置されている請求項２０記載のステーション。
【請求項２４】
前記ハウジング構造は、実質的に平行な２つの壁を含み、前記第１の検出ユニット及び前記第２の検出ユニットは、前記２つの壁のそれぞれに配設される請求項１８記載のステーション。
【請求項２５】
前記処理ユニットは、前記トモグラフィプロファイル又は空間分布に基づいて画像を生成する請求項１８記載のステーション。
【請求項２６】
前記処理ユニットは、前記第１のアレイ及び第２のアレイの１つ以上のミューオン検出センサと有線又は無線通信を行う請求項１８記載のステーション。
【請求項２７】
前記処理ユニットは、前記ハウジング構造から遠隔の位置にある請求項１８記載のステーション。
【請求項２８】
組込型ミューオントモグラフィコンテナ検査能力を有する倉庫において、
保管コンテナを載置するための保管領域上の屋根を含むように構成され、少なくとも幾つかの保管コンテナを収容する検出領域を含む倉庫ハウジング構造と、
前記検出領域に隣接する前記ハウジング構造の第１の側に沿って配置された１つ以上のミューオン検出センサの第１のアレイを含む第１の検出ユニットであって、前記第１のアレイを通過して前記検出領域に入るミューオンの位置及び方向を測定する１つ以上のミューオン検出センサの第１のアレイを含む第１の検出ユニットと、
前記検出領域に隣接する前記第１の側の反対側である前記ハウジング構造の第２の側に沿って、前記第１の検出ユニットから一定の距離に配置された１つ以上のミューオン検出センサの第２のアレイを含む第２の検出ユニットであって、前記検出領域を出て前記第２のアレイを通過するミューオンの位置及び方向を測定する１つ以上のミューオン検出センサの第２のアレイを含む第２の検出ユニットと、
前記１つ以上のミューオン検出センサの第１及び第２のアレイから、測定された位置及び方向のデータを受信し、前記検出領域内の前記保管コンテナ内の物質内のミューオンの散乱による前記ミューオンの散乱挙動を分析し、トモグラフィプロファイル又は前記検出領域内の散乱中心の空間分布を取得する処理ユニットと、
を備える倉庫。
【請求項２９】
前記第１の検出ユニットは、保管コンテナ検査ステーションの天井又は屋根の上に配置され、前記第２の検出ユニットは、前記保管コンテナ検査ステーションの床下に配置される請求項２８記載の倉庫。
【請求項３０】
前記ハウジング構造は、実質的に平行な２つの壁を含み、前記第１の検出ユニット及び前記第２の検出ユニットは、前記２つの壁のそれぞれに配設される請求項２８記載の倉庫。
【請求項３１】
それぞれ、前記ハウジング構造の経路に沿って、前記第１の検出ユニット及び第２の検出ユニットを同時に駆動する第１の輸送デバイス及び第２の輸送デバイスを更に備え、前記検出領域の位置は、前記第１の検出ユニット及び第２の検出ユニットの動きに応じて変化する請求項２８記載の倉庫。
【請求項３２】
既知の物質から形成され、前記経路内に設けられた較正マーカを更に備え、前記処理ユニットは、前記較正マーカの既知の物質及び前記ミューオン検出センサの第１及び第２のアレイの１つ以上を通過するミューオンの測定された位置及び方向の較正データを受信する請求項３１記載の倉庫。
【請求項３３】
前記第１の検出ユニットに接続された第１の位置センサと、前記第２の検出ユニットに接続された第２の位置センサとを更に備え、前記第１及び第２の位置センサは、前記第１の検出ユニット及び第２の検出ユニットの間の相対的な位置に関するデータを提供する請求項３１記載の倉庫。
【請求項３４】
前記処理ユニットは、前記トモグラフィプロファイル又は空間分布に基づいて画像を生成する請求項２８記載の倉庫。
【請求項３５】
前記処理ユニットは、前記第１のアレイ及び第２のアレイの１つ以上のミューオン検出センサと有線又は無線通信を行う請求項２８記載の倉庫。
【請求項３６】
前記処理ユニットは、前記ハウジング構造から遠隔の位置にある請求項２８記載の倉庫。
【請求項３７】
ミューオントモグラフィを用いて保管施設内の物質を検査する方法において、
ミューオンセンサを用いて、固定された相対的配置に位置決めされた第１の検出ユニット及び第２の検出ユニットを有するハウジング構造を含む保管施設に保管されている保管コンテナをスキャンして、ミューオントモグラフィイメージングデータを取得するステップと、
前記第１の検出ユニットと第２の検出ユニットの間の固定された相対的配置を維持したまま、前記第１の検出ユニット及び第２の検出ユニットを、前記ハウジング構造内の第１の位置から第２の位置まで移動させるステップと、
ミューオンセンサを用いて、前記保管施設内に位置する既知の物質の較正マークをスキャンして、ミューオントモグラフィイメージングデータを取得するステップと、
処理ユニットを用いて、前記スキャンされた保管コンテナ及び前記スキャンされた較正マークの前記取得されたミューオントモグラフィイメージングデータに基づいて、保管コンテナ内の標的物体の存在又は不在を判定するステップと、を有し、
前記第１の検出ユニットは、第１の平面に構成されたミューオンセンサの第１のアレイを含み、前記第２の検出ユニットは、前記第１の平面に平行な第２の平面に構成されたミューオンセンサの第２のアレイを含み、前記第１のアレイのミューオンセンサは、前記第１のアレイを通過するミューオンの位置及び方向を測定し、前記第２のアレイのミューオンセンサは、検出領域から出て前記第２のアレイを通過するミューオンの位置及び方向を測定し、
前記処理ユニットは、前記ミューオンセンサから測定された位置及び方向のデータを受信し、前記保管コンテナの物質内のミューオンの散乱に起因するミューオン散乱挙動を分析する方法。